(57)【要約】      （修正有）【課題】光源コネクタが電源コネクタに接続されたか否かを判断することができるコネクタ装置を提供すること。【解決手段】蛍光顕微鏡の開口内部に固定され、蛍光顕微鏡に内蔵された光源電源４から電力が供給される電源コネクタ２と、蛍光顕微鏡の開口を介して内部に装填される光源の入力端子として構成され、電源コネクタ２を奥深くまで受け容れることにより、電源コネクタ２から電力が供給される光源コネクタ１とを備えたコネクタ装置において、光源コネクタ１が電源コネクタ２を奥深くまで受け容れた場合に開口を開閉する光源カバー１２の閉塞を許容する一方、光源コネクタ１が電源コネクタ２の先端しか受け容れていない場合に光源カバー１２の閉塞を阻止する棒状部材５を光源コネクタ１に備えるようにした。【選択図】図９
2010055871.tif 000002
【特許請求の範囲】
【請求項１】
装置の開口内部に固定され、装置に内蔵された光源電源から電力が供給される電源コネクタと、装置の開口を介して内部に装填される光源の入力端子として構成され、前記電源コネクタを奥深くまで受け容れることにより、前記電源コネクタから電力が供給される光源コネクタとを備えたコネクタ装置において、
前記光源コネクタが前記電源コネクタを奥深くまで受け容れた場合に前記開口を開閉する扉体の閉塞を許容する一方、前記光源コネクタが前記電源コネクタの先端しか受け容れていない場合に前記扉体の閉塞を阻止する扉体閉塞規制手段を備えたことを特徴とするコネクタ装置。
【請求項２】
前記電源コネクタと前記光源コネクタとは、極性を有する非対称のコネクタであって、前記電源コネクタの極性と前記光源コネクタの極性とが整合する場合に前記光源コネクタが前記電源コネクタを奥深くまで受け容れる一方、前記電源コネクタの極性と前記光源コネクタの極性とが不整合の場合に前記光源コネクタが前記電源コネクタの先端しか受け容れないことを特徴とする請求項１に記載のコネクタ装置。
【請求項３】
前記扉体閉塞規制手段は、前記光源コネクタに取り付けられた棒状部材であって、前記光源コネクタが前記電源コネクタの先端しか受け容れていない場合に、前記扉体と干渉することにより、前記扉体の閉塞を不能にすることを特徴とする請求項１または２に記載のコネクタ装置。
【発明の詳細な説明】
【技術分野】
【０００１】
本発明は、コネクタとコネクタとを接続するコネクタ装置に関するものであって、たとえば、蛍光顕微鏡に内蔵された光源電源から電力が供給される電源コネクタと、蛍光顕微鏡に装填される光源に接続された光源コネクタとを接続するコネクタ装置に関するものである。
【背景技術】
【０００２】
プロジェクタ装置などの光源を備えた装置において、装置に内蔵された光源電源から電力が供給される電源コネクタと、装置に装填される光源に接続された光源コネクタとを備えたコネクタ装置が知られている（たとえば、特許文献１参照）。
【０００３】
ところで、プロジェクタ装置や蛍光顕微鏡など装置に装填される光源は極性を有しており、光源コネクタ１の極性を誤って電源コネクタ２に接続することがないように、光源コネクタ１と電源コネクタ２の形状を非対称なものにしている（図１１参照）。そして、図１２に示すように、光源コネクタ１が電源コネクタ２を奥深くまで受け容れることにより、光源電源から光源に電力が供給されるようになっている。したがって、光源コネクタ１の極性を誤ったまま光源コネクタ１が電源コネクタ２を奥深くまで受け容れ、光源電源から光源に電力が供給されるようなことはない。
【０００４】
【特許文献１】特開平７−８５７０５号公報
【発明の開示】
【発明が解決しようとする課題】
【０００５】
しかしながら、光源コネクタの極性を誤っていても、図１３に示すように、光源コネクタ１が電源コネクタ２の先端を受け容れることができるので、光源の交換に慣れないオペレータは、光源コネクタ１の極性を誤っていても、光源コネクタ１が電源コネクタ２の先端を受け容れれば、光源コネクタ１と電源コネクタ２とが接続されたと判断してしまうことがあった。
【０００６】
本発明は、上記に鑑みてなされたものであって、光源コネクタが電源コネクタに接続されたか否かを判断することができるコネクタ装置を提供することを目的とする。
【課題を解決するための手段】
【０００７】
上述した課題を解決し、目的を達成するために、本発明は、装置の開口内部に固定され、装置に内蔵された光源電源から電力が供給される電源コネクタと、装置の開口を介して内部に装填される光源の入力端子として構成され、前記電源コネクタを奥深くまで受け容れることにより、前記電源コネクタから電力が供給される光源コネクタとを備えたコネクタ装置において、前記光源コネクタが前記電源コネクタを奥深くまで受け容れた場合に前記開口を開閉する扉体の閉塞を許容する一方、前記光源コネクタが前記電源コネクタの先端しか受け容れていない場合に前記扉体の閉塞を阻止する扉体閉塞規制手段を備えたことを特徴とする。
【０００８】
また、本発明は、上記発明において、前記電源コネクタと前記光源コネクタとは、極性を有する非対称のコネクタであって、前記電源コネクタの極性と前記光源コネクタの極性とが整合する場合に前記光源コネクタが前記電源コネクタを奥深くまで受け容れる一方、前記電源コネクタの極性と前記光源コネクタの極性とが不整合の場合に前記光源コネクタが前記電源コネクタの先端しか受け容れないことを特徴とする。
【０００９】
また、本発明は、上記発明において、前記扉体閉塞規制手段は、前記光源コネクタに取り付けられた棒状部材であって、前記光源コネクタが前記電源コネクタの先端しか受け容れていない場合に、前記扉体と干渉することにより、前記扉体の閉塞を不能にすることを特徴とする。
【発明の効果】
【００１０】
本発明にかかるコネクタ装置は、光源コネクタが電源コネクタを奥深くまで受け容れた場合に扉体の閉塞を許容する一方、光源コネクタが電源コネクタの先端しか受け容れていない場合に扉体の閉塞を阻止する扉体閉塞規制手段を備えたので、扉体が閉まるか否かによって、光源コネクタが電源コネクタに接続されたか否かを正確に判断することができる。
【発明を実施するための最良の形態】
【００１１】
以下に添付図面を参照して、本発明にかかるコネクタ装置の好適な実施の形態を詳細に説明する。なお、この実施の形態によりこの発明が限定されるものではない。
【００１２】
（実施の形態）
図１及び図２は、本発明にかかるコネクタ装置を適用した蛍光顕微鏡を示す図である。図２に示すように、蛍光顕微鏡１０の側面には、開口１０Ａが設けてあり、装置の内部に装填された蛍光観察用の光源３を必要に応じて交換できるようになっている。
【００１３】
開口１０Ａの下縁内方には、軸部材１１が取り付けてあり（図３参照）、この軸部材１１には、開口１０Ａを閉塞する光源カバー（扉体）１２が開閉可能に取り付けてある（図１参照）。光源カバー１２の上縁部中央には、カバーノブ１３が取り付けてあり、光源カバー１２が開口１０Ａを閉塞した状態を維持できるようになっている。
【００１４】
開口１０Ａの内部には、箱状をした枠体１４が配設してあり、枠体１４の内部にオペレータの作業領域が確保されている。
【００１５】
図３〜図７に示すように、枠体１４の上には、スペーサ１５を介して光源電源４が固定してあり、枠体１４と光源電源４との間に設けられた空間には、電源コネクタ２が配設してある。電源コネクタ２は、極性を有する非対称のコネクタであって（図１１参照）、接続端子が開口１０Ａに臨むように、電源コネクタ保持部材１６によって枠体１４に固定してあり、光源コネクタ１が開口側から装着されるようになっている。また、電源コネクタ２は、電源ケーブル４Ａによって光源電源４に接続してあり、光源電源４から電源コネクタ２に電力が供給されるようになっている。
【００１６】
図３に示すように、枠体１４の内部には、光源保持部材１７が固定してあり、光源３が装填されるようになっている。また、光源保持部材１７には、図示せぬヒンジを介して光源押さえ１８が回動可能に取り付けてあり、光源保持部材１７に装填された光源３の後部を押さえるようになっている。光源押さえ１８は、光源３の後部を押さえた状態で、ツマミ１９によって軸２０に固定されるようになっている。
【００１７】
また、光源３には、光源ケーブル３Ａを介して光源コネクタ１が接続してある。光源コネクタ１は、光源の入力端子として構成され、電源コネクタ２と同様に、非対称のコネクタで構成されている。光源コネクタ１は、電源コネクタ２の極性と整合する場合に電源コネクタ２を奥深くまで受け容れる一方、電源コネクタ２の極性と不整合の場合に電源コネクタ２の先端しか受け容れないようになっている。
【００１８】
また、図１２及び図１３に示すように、光源コネクタ１の後部は、段部となるフランジ１Ａを有しており、このフランジ１Ａを挟むように一対の棒状部材取付具２１，２２が取り付けてある。一対の棒状部材取付具２１，２２は、棒状部材５を取り付けるためのもので、購入した光源コネクタ１に後付けされるようになっている。
【００１９】
棒状部材取付具２２の一端部には、棒状部材（扉体閉塞規制手段）５が取り付けてある。棒状部材５は、光源コネクタ１の後方に延在する棒状の部材であって、光源コネクタ１が電源コネクタ２に差し込まれ、光源コネクタ１が電源コネクタ２を奥深くまで受け容れた場合に光源カバー１２の閉塞を許容する一方（図６参照）、光源コネクタ１が電源コネクタ２の先端しか受け容れていない場合に光源カバー１２と干渉し（図９参照）、光源カバー１２の閉塞を阻止する長さを有している。
【００２０】
なお、光源コネクタ１が電源コネクタ２の先端しか受け容れていない場合とは、光源コネクタ１の極性が電源コネクタ２の極性に整合していない場合のほか、光源コネクタ１の極性が電源コネクタ２の極性に整合しているが、光源コネクタ１の差し込みが不十分な場合が想定される。
【００２１】
図３〜図５に示すように、枠体１４の右側内部には、インターロックスイッチ２３が取り付けてある。インターロックスイッチ２３は、光源カバー１２の閉塞状態を検出するためのもので、蛍光顕微鏡内部に配設された制御基板３０に接続してある。
【００２２】
制御基板３０は、蛍光顕微鏡の各駆動部を制御する基板であって、光源電源４とも接続してあり、光源電源４への電力供給をオン／オフ制御することができるようになっている。より具体的には、光源カバー１２が閉塞され、インターロックスイッチ２３がオンになった場合に光源電源４への電力供給がオンとなり、光源カバー１２が開放され、インターロックスイッチ２３がオフとなった場合に光源電源４への電力供給をオフとなるように制御するようになっている。
【００２３】
本発明のコネクタ装置を適用した蛍光顕微鏡の光源３を交換する場合には、まず、カバーノブ１３を操作することにより、光源カバー１２を開放することになる。そして、光源カバー１２が開放すれば、インターロックスイッチ２３がオフとなり、制御基板３０によって、光源電源４への電力供給がオフとなる。
【００２４】
そして、電源コネクタ２から光源コネクタ１を引き抜くとともに、ツマミ１９を操作して光源押さえ１８を回動させれば、光源保持部材１７から光源３を取り外すことができる。
【００２５】
その後、新たな光源３を光源保持部材１７に保持させた後、光源押さえ１８を回動させた後、ツマミ１９を操作すれば、光源３が装填されることになる。そして、電源コネクタ２に光源コネクタ１を差し込み、光源カバー１２を閉めれば、インターロックスイッチ２３がオンとなり、制御基板３０によって、光源電源４への電力供給がオンとなり、光源３の交換が終了することになる。
【００２６】
ところで、棒状部材（扉体閉塞規制手段）５が光源カバー（扉体）１２に干渉して、光源カバー１２を閉めることができない場合には、光源コネクタ１の極性が電源コネクタ２の極性に整合していない、あるいは、光源コネクタ１の差し込みが不十分であると判断できる。この場合には、光源コネクタ１の極性を電源コネクタ２の極性に整合させ、光源コネクタ１が電源コネクタ２を奥深くまで受け容れるように光源コネクタ１を差し込めばよい。
【００２７】
本発明のコネクタ装置を適用した蛍光顕微鏡によれば、光源コネクタ１が電源コネクタ２を奥深くまで受け容れた場合に光源カバー１２の閉塞を許容する一方、光源コネクタ１が電源コネクタ２の先端しか受け容れていない場合に光源カバー１２の閉塞を阻止する棒状部材５を光源コネクタ１に取り付けたので、光源カバー１２が閉まるか否かによって、光源コネクタ１が電源コネクタ２に接続されたか否かを正確に判断できる。
【００２８】
（変形した形態）
図１０は、実施の形態のコネクタ装置を変形したコネクタ装置を示す平面図である。図１０に示すコネクタ装置は、電源コネクタ２の極性と光源コネクタ１の極性が整合しているが、光源コネクタ１の差し込みが不十分である場合に、光源カバー１２の閉塞操作によって、光源コネクタ１が電源コネクタ２を奥深くまで受け容れるように、光源コネクタ１を差し込むものであって、光源コネクタ１が電源コネクタ２を奥深くまで受け容れることができるように、上述した棒状部材５の長さが設定してある。
【００２９】
このコネクタ装置によれば、電源コネクタ２の極性と光源コネクタ１の極性が整合しているが、光源コネクタ１の差し込みが不十分である場合に、光源カバー１２の閉塞操作によって、光源コネクタ１が電源コネクタ２を奥深くまで受け容れられる。一方、光源コネクタ１の極性が電源コネクタ２の極性に整合していない場合には、上述した実施の形態と同様に、光源カバー１２が閉まらないので、光源コネクタ１が電源コネクタ２に接続されていないと判断できる。
【図面の簡単な説明】
【００３０】
【図１】本発明を適用した蛍光顕微鏡を示す正面図である。
【図２】図１に示した蛍光顕微鏡の側面図である。
【図３】実施の形態であるコネクタ装置を示す正面図であって、光源カバーを開放した状態を示したものである。
【図４】図３に示したコネクタ装置の側面図であって、光源カバーを開いた状態を示したものである。
【図５】図３に示したコネクタ装置の平面図であって、光源カバーを開いた状態を示したものである。
【図６】実施の形態であるコネクタ装置を示す正面図であって、光源カバーを閉めた状態を示したものである。
【図７】図６に示したコネクタ装置の側面図であって、光源カバーを閉めた状態を示したものである。
【図８】図６に示したコネクタ装置の平面図であって、光源カバーを閉めた状態を示したものである。
【図９】図６に示したコネクタ装置の側面図であって、光源カバーを閉めることができない状態を示したものである。
【図１０】実施の形態のコネクタ装置を変形したコネクタ装置を示す平面図である。
【図１１】コネクタ装置を構成する電源コネクタの正面図である。
【図１２】光源コネクタが接続された状態を示すコネクタ装置の側面図である。
【図１３】光源コネクタの接続が不完全な状態を示すコネクタ装置の側面図である。
【符号の説明】
【００３１】
１    光源コネクタ
１Ａ    フランジ
２    電源コネクタ
３    光源
３Ａ    光源ケーブル
４    光源電源
４Ａ    電源ケーブル
５    棒状部材（扉体閉塞規制手段）
１０    蛍光顕微鏡
１０Ａ    開口
１１    軸部材
１２    光源カバー（扉体）
１３    カバーノブ
１４    枠体
１５    スペーサ
１６    電源コネクタ保持部材
１７    光源保持部材
１８    光源押さえ
１９    ツマミ
２０    軸
２１，２２    棒状部材取付具
２３    インターロックスイッチ
３０    制御基板
【図１】
2010055871.tif 000003
【図２】
2010055871.tif 000004
【図３】
2010055871.tif 000005
【図４】
2010055871.tif 000006
【図５】
2010055871.tif 000007
【図６】
2010055871.tif 000008
【図７】
2010055871.tif 000009
【図８】
2010055871.tif 000010
【図９】
2010055871.tif 000011
【図１０】
2010055871.tif 000012
【図１１】
2010055871.tif 000013
【図１２】
2010055871.tif 000014
【図１３】
2010055871.tif 000015